(57)【要約】      （修正有）【課題】専用の決められた場所に台紙が設置されるようにし、共有テーブル上での設置を不要にして他者からの邪魔扱いや装飾品の落下を確実に防止することができるシール貼着具を提供する。【解決手段】回転寿司店舗用平面絵柄２１が印刷された台紙２と、この台紙２の回転寿司店舗用平面絵柄２１に対応するジャンルに合わせた寿司ネタ絵柄、備品絵柄等がそれぞれ個別に印刷された立体的な絵柄シール体２２〜２７を設ける。台紙２の回転寿司店舗用平面絵柄２１に合わせて当該台紙２に絵柄シール体２２〜２７を貼着して、各シール体２２〜２７の絵柄を立体的に表現する。台紙２の回転寿司店舗用平面絵柄２１をシリコンラミネートよりなる表面層２８により表面処理して各シール体２２〜２７を繰返し脱着可能とする。更に、台紙２を、折り畳み可能な脚部１２を有するテーブル１の天板の表面に取り付ける。【選択図】図１
0003172702.tif 000002
【実用新案登録請求の範囲】
【請求項１】
平面絵柄が印刷された台紙と、この台紙の平面絵柄に対応するジャンルに合わせた絵柄がそれぞれ個別に印刷された立体的なシール体と、を備え、前記台紙の平面絵柄に合わせて当該台紙に前記各シール体を貼着して、各シール体の絵柄を立体的に表現するようにしたシール貼着具であって、
前記平面絵柄には、前記台紙に貼着される前記各シール体を繰返し脱着可能とするように人工高分子化合物により表面処理された表面層が設けられており、
前記台紙は、折り畳み可能な脚部を有するテーブルの表面に取り付けられていることを特徴とするシール貼着具。
【請求項２】
前記台紙としては、ジャンル毎に異なる平面絵柄がそれぞれ印刷された複数種類の台紙が用意されているとともに、
前記各シール体としては、前記各台紙のジャンル毎に異なる平面絵柄に対応する絵柄がそれぞれ個別に印刷された複数種類のシール体が用意されており、
前記テーブルには、その表面に対し前記各台紙を出し入れ可能に取り付ける取付手段が設けられている請求項１に記載のシール貼着具。
【請求項３】
前記各シール体の外表面は、互いに層状に重ね合わせて繰返し脱着可能に貼着されるように人工高分子化合物により構成されている請求項１又は請求項２に記載のシール貼着具。
【請求項４】
前記台紙としては、ポリプロピレン樹脂を主原料とする合成紙ユポが適用されている請求項１〜請求項３のいずれか１つに記載のシール貼着具。
【考案の詳細な説明】
【技術分野】
【０００１】
本考案は、シール貼着具に関し、詳しくは、ジャンルに合わせた複数種類の絵柄がそれぞれ個別に印刷されたシール体をこれらのシール体の絵柄に対応する平面絵柄が印刷された台紙に貼着して幼児や子供向けの教育用及び老年者向けのリハビリ用などとして利用するようにしたものに係る。
【背景技術】
【０００２】
従来より、この種のシール貼着具としては、平面絵柄が印刷された台紙と、この台紙から部分的に切り外される複数のシール体とを備え、台紙から切り外した各シール体を、適宜厚みの部材を介在させて台紙の切り外し部位に貼着することで、台紙の平面絵柄に対し各シール体の絵柄を立体的に表現するようにしたものが知られている（特許文献１参照）。
【０００３】
また、平面絵柄が印刷された台紙とは別途に、この台紙の平面絵柄に対応するジャンルに合わせた絵柄がそれぞれ個別に印刷された複数の立体的なシール体を備え、各シール体を台紙の平面絵柄上に貼着して、各シール体の絵柄を立体的に表現するようにしたものもある。
【先行技術文献】
【特許文献】
【０００４】
【特許文献１】特開平２００６−２８９９２２号公報
【考案の概要】
【考案が解決しようとする課題】
【０００５】
ところで、平面絵柄を印刷した台紙は、何処にでも設置できるといった利便性はあるものの、何処にでも設置されると困るケースがままある。例えば、他者と共有の共有テーブルの上に台紙を設置したまま放置すると、他者から邪魔扱いされる。また、壊れ易い装飾品などを設置した共有テーブルの上に台紙を設置すると、シール体の貼着に夢中になって装飾品を落下させたりするおそれもある。
【０００６】
本考案は、かかる点に鑑みてなされたものであり、その目的とするところは、専用の決められた場所に台紙が設置されるようにし、共有テーブル上での設置を不要にして他者からの邪魔扱いや装飾品の落下を確実に防止することができるシール貼着具を提供することにある。
【課題を解決するための手段】
【０００７】
前記目的を達成するため、本考案では、平面絵柄が印刷された台紙と、この台紙の平面絵柄に対応するジャンルに合わせた絵柄がそれぞれ個別に印刷された立体的なシール体と、を備え、前記台紙の平面絵柄に合わせて当該台紙に前記各シール体を貼着して、各シール体の絵柄を立体的に表現するようにしたシール貼着具を前提とする。そして、前記平面絵柄に、前記台紙に貼着される前記各シール体を繰返し脱着可能とするように人工高分子化合物により表面処理された表面層を設ける。更に、前記台紙を、折り畳み可能な脚部を有するテーブルの表面に取り付けることを特徴としている。
【０００８】
また、前記台紙として、ジャンル毎に異なる平面絵柄がそれぞれ印刷された複数種類の台紙を用意するとともに、前記各シール体として、前記各台紙のジャンル毎に異なる平面絵柄に対応する絵柄がそれぞれ個別に印刷された複数種類のシール体を用意し、前記テーブルに、その表面に対し前記各台紙を出し入れ可能に取り付ける取付手段を設けていてもよい。
【０００９】
また、前記各シール体の外表面は、互いに層状に重ね合わせて繰返し脱着可能に貼着されるように人工高分子化合物により構成されていてもよい。
【００１０】
前記台紙として、ポリプロピレン樹脂を主原料とする合成紙が適用されていてもよい。
【考案の効果】
【００１１】
以上、要するに、折り畳み可能な脚部を有するテーブルの表面に台紙を取り付けることで、シール貼着具に専用のテーブルが備えられ、この専用のテーブル上といった決められた場所に台紙が設置されることになり、共有テーブル上での設置を不要にして他者からの邪魔扱いや装飾品の落下を確実に防止することができる。しかも、不使用時には脚部が折り畳まれ、シール貼着具をコンパクトに収納することができる。更に、台紙の平面絵柄を人工高分子化合物により表面処理してシール体を繰返し脱着可能とすることで、シール貼着具を幼児や子供向けの教育用及び老年者向けのリハビリ用などとして繰返し利用することができ、幼児や子供の知育向上及び老年者の健常化に貢献することができる。
【００１２】
また、テーブルの表面に対し複数種類の台紙が出し入れ可能に取り付けられていると、テーブルの表面に取り付けた台紙の平面絵柄に応じて、これに対応するジャンル毎の各シール体の貼着を行え、単一のシール貼着具を幼児や子供向けの各種教育用及び老年者向けの各種リハビリ用などとして幅広いジャンルに亘って有効利用することができる。
【００１３】
また、各シール体の外表面を人工高分子化合物により構成し、各シール体が層状に重ね合わせて繰返し脱着可能とされていると、層状に重ねた各シール体によって絵柄をさらに立体的に表現することができるとともに、各シール体の絵柄を上から簡単に変更することもできる。
【００１４】
更に、ポリプロピレン樹脂を主原料とする合成紙が台紙に適用されていれば、有害物質・環境負荷物質を使用していないために環境安全性に優れた安全性の高い台紙を提供することができる。しかも、再利用も可能となり、実施する上で非常に有利なものとなる。
【図面の簡単な説明】
【００１５】
【図１】本考案の第１の実施の形態に係るシール貼着具を斜め上方から見た斜視図である。
【図２】図１のシール貼着具のテーブルを、脚部を折り畳んだ状態で一側方から見た側面図である。
【図３】図２の脚部を起立させた状態でのテーブルの側面図である。
【図４】図２のテーブルを上方から見た回転寿司店舗用平面絵柄を印刷した台紙の平面図である。
【図５】図４の台紙の回転寿司店舗用平面絵柄のジャンルに対応する絵柄をそれぞれ個別に印刷した透明離形フィルム材上での各シール体の平面図である。
【図６】本考案の第２の実施の形態に係るシール貼着具を斜め上方から見た斜視図である。
【図７】図６のシール貼着具のテーブルを、脚部を起立させた状態で一側方から見た側面図である。
【図８】図７のテーブルを上方から見た回転寿司店舗用平面絵柄を印刷した台紙の平面図である。
【図９】図７のテーブルに差し入れられるアニマルパーク用平面絵柄を印刷した台紙の平面図である。
【図１０】図７のテーブルに差し入れられるキャラクタ動物用平面絵柄を印刷した台紙の平面図である。
【図１１】図７のテーブルに差し入れられる着せ替え店舗用平面絵柄を印刷した台紙の平面図である。
【図１２】図７のテーブルに差し入れられる世界地図用平面絵柄を印刷した台紙の平面図である。
【図１３】図９の台紙のアニマルパーク用平面絵柄のジャンルに対応する絵柄をそれぞれ個別に印刷した透明離形フィルム材上での各シール体の平面図である。
【図１４】図１０の台紙のキャラクタ動物用平面絵柄のジャンルに対応する絵柄をそれぞれ個別に印刷した透明離形フィルム材上での各シール体の平面図である。
【図１５】図１１の台紙の着せ替え店舗用平面絵柄のジャンルに対応する絵柄をそれぞれ個別に印刷した透明離形フィルム材上での各シール体の平面図である。
【図１６】図１２の台紙の世界地図用平面絵柄のジャンルに対応する絵柄をそれぞれ個別に印刷した透明離形フィルム材上での各シール体の平面図である。
【考案を実施するための形態】
【００１６】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００１７】
図１〜図３において、１は本考案の実施の形態に係るシール貼着具Ｗ１に備えられるテーブルであって、このテーブル１は、略矩形状の天板１１を有し、紙と木材とで組成された合成材よりなる。また、図４に示すように、天板１１の表面には、回転寿司店舗のカウンターを表す回転寿司店舗用平面絵柄２１がオフセット印刷された台紙２が取り付けられている。
【００１８】
また、図５に示すように、シール貼着具Ｗ１は、台紙２の回転寿司店舗用平面絵柄２１のジャンルに対応する絵柄が印刷されたシール体２２〜２７を備えている。具体的には、寿司ネタ絵柄を印刷した寿司ネタ絵柄シール体２２と、寿司飯絵柄を印刷した寿司飯絵柄シール体２３と、にぎり絵柄を印刷したにぎり絵柄シール体２４と、海苔巻絵柄を印刷した海苔巻絵柄シール体２５と、受皿に乗せた受皿付絵柄を印刷した受皿付絵柄シール体２６と、醤油、看板、湯飲みなどの備品絵柄を印刷した備品絵柄シール体２７とを備えている。各シール体２２〜２７は、人工高分子化合物としての発泡ポリ塩化ビニル（発泡ＰＶＣ）よりなる表面材と、この表面材の裏面に粘着層を介してポリエチレンテレフタレート（ＰＥＴ）よりなる透明離形フィルム材１９とで構成されている。また、各シール体２２〜２７の絵柄は、それぞれシルクスクリーン印刷により外表面の表面側に印刷されている。そして、各シール体２２〜２７は、台紙２の回転寿司店舗用平面絵柄２１に合わせて好みの位置に貼着可能である。この場合、各シール体２２〜２７が発泡ポリ塩化ビニルにより外表面が構成されていることにより、各シール体２２〜２７を層状に重ね合わせて繰返し脱着可能に貼着することも可能である。
【００１９】
台紙２は、ポリプロピレン樹脂を主原料とする合成紙よりなり、テーブル１の表面に貼着されて取り付けられている。この台紙２の回転寿司店舗用平面絵柄２１は、台紙２に貼着される各シール体２２〜２７を繰返し脱着可能とするように人工高分子化合物としてのシリコンラミネートよりなる表面層２８によって表面処理されている。そして、表面層２８の周縁は、天板１１の周縁から縦面に延び、その縦面において樹脂製の淵巻き２９により止着されている。
【００２０】
テーブル１の天板１１の裏面には、折り畳み可能な４本の脚部１２（図１では３本のみ示す）が設けられている。各脚部１２は、天板１１の裏面の四隅にそれぞれ設けられた支持具１３と、各支持具１３に支持軸１３ａを介して支持され、折り畳み時に天板１１の中心に向かって支持軸１３ａ回りに倒伏する脚部本体１４とを備えている。各支持部１３は、天板１１の中心に向かって開口する断面略Ｕ字状に形成され、かつ脚部本体１４を起立姿勢に保持する保持片１５と、この保持片１５の上端より略水平方向外方へ延び、天板１１の裏面に螺着される複数の取付片１６とを備えている。テーブル１の耐荷重性能としては、略１５ｋｇ程度に設定されている。この場合、折り畳み可能な脚部１２を有するテーブル１と、このテーブル１の表面に取り付けられる台紙２と、台紙２の回転寿司店舗用平面絵柄２１に合わせて貼着される各シール体２２〜２７とによって、シール貼着具Ｗ１が構成されている。
【００２１】
ここで、シール貼着具Ｗ１の構成要件の作成手順について説明する。
【００２２】
先ず、テーブル１の作成手順について説明する。
紙と木材とで組成された合成材より略矩形状の天板１１を裁断し、この天板１１の表面に、回転寿司店舗用平面絵柄２１をオフセット印刷した合成紙よりなる台紙２を貼着して取り付ける。
次いで、台紙２の回転寿司店舗用平面絵柄２１の上面側に、シリコンラミネートにより表面処理した表面層２８を設け、天板１１の周縁から側面に延びる表面層２８の周縁を淵巻き２９により止着する。
その後、天板１１の裏面の四隅に脚部１２をそれぞれ設ける。具体的には、各支持部１３の各取付片１６を天板１１の裏面の四隅に螺着して脚部１２を取り付ける。これにより、テーブル１の作成を完了する。
【００２３】
次に、各シール体２２〜２７の作成手順について説明する。
発泡ポリ塩化ビニルよりなる表面材と、この表面材の裏面側の粘着剤と、この粘着剤の裏面側のポリエチレンテレフタレートよりなる透明離形フィルム材１９との３層から構成されたロール状のシール基材を用意し、印刷台上において、外表面の表面側（反粘着剤側）に、台紙２の回転寿司店舗用平面絵柄２１のジャンルに対応する寿司ネタ絵柄、寿司飯絵柄、にぎり絵柄、海苔巻絵柄、受皿付絵柄、及び備品絵柄をそれぞれシルクスクリーン印刷により印刷する。
次いで、シルクスクリーン印刷されたシール基材を印刷台上から取り外し、型抜き加工装置（例えば、深セン市宏電包装機械工場製の型番ＨＢ−８０００Ｗ「名称；高周波」など）を用い、シルクスクリーン印刷を終えたシール基材を繰り出して型抜き加工装置に通し、シール基材から寿司ネタ絵柄、寿司飯絵柄、にぎり絵柄、海苔巻絵柄、受皿付絵柄、及び備品絵柄を、それぞれの周囲を熱溶着しつつ型抜き加工する。このとき、型抜き加工装置による型抜き加工では、シール基材の表面材及び粘着剤のみが型抜き加工、つまり寿司ネタ絵柄、寿司飯絵柄、にぎり絵柄、海苔巻絵柄、受皿付絵柄、及び備品絵柄をそれぞれ印刷した寿司ネタ絵柄シール体２２、寿司飯絵柄シール体２３、にぎり絵柄シール体２４、海苔巻絵柄シール体２５、受皿付絵柄シール体２６、及び備品絵柄シール体２７が型抜き加工され、透明離形フィルム材１９の型抜き加工は行われない。
そして、型抜き加工装置により型抜き加工されたシール基材を、各シール体２２〜２７の周囲から不要な部分（表面基材及び粘着剤）を取り除き、各シール体２２〜２７を剥離材２３と共に取り出す。このとき、１枚の台紙２の回転寿司店舗用平面絵柄２１に相当する各シール体２２〜２７毎に透明離形フィルム材１９が切り離され、１枚の透明離形フィルム材１９上に１枚の台紙２の回転寿司店舗用平面絵柄２１に必要なシール体２２〜２７が取り込まれる。
【００２４】
このように、折り畳み可能な脚部１２を有するテーブル１の表面に台紙２が取り付けられているので、シール貼着具Ｗ１に専用のテーブル１が備えられ、この専用のテーブル１上といった決められた場所に台紙２が設置されることになり、共有テーブル上での設置を不要にして他者からの邪魔扱いや装飾品の落下を確実に防止することができる。しかも、不使用時には脚部１２が折り畳まれ、シール貼着具Ｗ１をコンパクトに収納することができる。
【００２５】
また、台紙２の回転寿司店舗用平面絵柄２１をシリコンラミネートにより表面処理して各シール体２２〜２７が繰返し脱着可能となるので、シール貼着具Ｗ１を幼児や子供向けの教育用及び老年者向けのリハビリ用などとして繰返し利用することができ、幼児や子供の知育向上及び老年者の健常化に貢献することができる。更に、シリコンラミネートにより表面処理された表面層２８によって、書き込みも可能となり、台紙２を伝言板として利用することもできる。
【００２６】
また、各シール体２２〜２７の外表面が発泡ポリ塩化ビニルよりなる表面材により構成されて、各シール体２２〜２７を層状に重ね合わせて繰返し脱着可能に貼着されるので、層状に重ねた各シール体２２〜２７によって絵柄をさらに立体的に表現することができるとともに、各シール体２２〜２７の絵柄を上から簡単に変更することもできる。
【００２７】
また、ポリプロピレン樹脂を主原料とする合成紙が台紙２に適用されているので、有害物質・環境負荷物質を使用していないために環境安全性に優れた安全性の高い台紙２を提供することができる。しかも、再利用も可能となり、実施する上で非常に有利なものとなる。
【００２８】
次に、本考案の第２の実施の形態を図６〜図１６に基づいて説明する。
【００２９】
この実施の形態では、台紙の構成を変更している。なお、台紙を除くその他の構成は、前記第１の実施の形態と同じであり、同一部分については同じ符号を付してその詳細な説明は省略する。
【００３０】
すなわち、図６〜図８に示すように、天板１１には、その表面に対し５種類の台紙３〜７（後述する）を出し入れ可能に取り付ける取付手段としての平面視で略コ字状の枠体１７が設けられている。枠体１７は、天板１１の四辺のうちの長手方向一側方（図８では右側方）の一辺を除く残り三辺の周縁に取り付けられた断面略Ｌ字状の枠体構成材１８を備えている。天板１１の三辺周縁の枠体構成材１８はそれぞれ連続し、残る一辺側に台紙３〜７を出し入れ可能とする出し入れ口１８ａを開口させて台紙３〜７が差し替えられるようにしている。
【００３１】
また、図９〜図１２にも示すように、シール貼着具Ｗ２は、互いにジャンルの異なる複数種類の台紙３〜７を備えている。各台紙３〜７としては、ジャンル毎に異なる回転寿司店舗用平面絵柄３１、アニマルパーク用平面絵柄４１、キャラクタ動物用平面絵柄５１、着せ替え店舗用平面絵柄６１、世界地図用平面絵柄７１がそれぞれオフセット印刷された５種類の台紙３〜７が用意されている。各台紙３〜７は、ポリプロピレン樹脂を主原料とする合成紙よりなる。各台紙３〜７の平面絵柄３１〜７１には、シリコンラミネートにより表面処理された表面層２８が設けられている。
【００３２】
更に、図１３〜図１６に示すように、シール貼着具Ｗ２には、各台紙３〜７の平面絵柄３１〜７１に対応する絵柄がそれぞれ個別に印刷された５種類のジャンル毎のシール体が用意されている。
【００３３】
具体的には、台紙３の回転寿司店舗用平面絵柄３１のジャンルに対応するシール体としては、図５に示すものと同様に、寿司ネタ絵柄シール体２２と、寿司飯絵柄シール体２３と、にぎり絵柄シール体２４と、海苔巻絵柄シール体２５と、受皿付絵柄シール体２６と、備品絵柄シール体２７とが、１枚の透明離形フィルム材１９上に取り込まれて用意されている。また、台紙４のアニマルパーク用平面絵柄４１のジャンルに対応するシール体としては、図１３に示すように、ライオン、ヒョウ、レッサーパンダ、サル、キリン、ゾウ、シマウマ、ラクダ、カンガルー、リス、クマ、パンダ、ホッキョクグマ、カバ、及びアザラシといった哺乳類絵柄がシルクスクリーン印刷された哺乳類絵柄シール体４２と、ワニ及びヘビといった爬虫類絵柄がシルクスクリーン印刷された爬虫類絵柄シール体４３と、ペンギン、フラミンゴ、及び小鳥といった鳥類絵柄がシルクスクリーン印刷された鳥類絵柄シール体４４と、小魚といった魚類絵柄がシルクスクリーン印刷された魚類絵柄シール体４５とが、１枚の透明離形フィルム材１９上に取り込まれて用意されている。また、台紙５のキャラクタ動物用平面絵柄５１のジャンルに対応するシール体としては、図１４に示すように、マスコット動物絵柄がシルクスクリーン印刷されたマスコット動物絵柄シール体５２と、このマスコット動物絵柄シール体５２に層状に重ね合わされる着せ替え絵柄がシルクスクリーン印刷された着せ替え絵柄シール体５３と、マスコット動物絵柄シール体５２又は着せ替え絵柄シール体５３に層状に重ね合わされるアクセサリー絵柄がシルクスクリーン印刷されたアクセサリー絵柄シール体５４とが、１枚の透明離形フィルム材１９上に取り込まれて用意されている。また、台紙６の着せ替え店舗用平面絵柄６１のジャンルに対応するシール体としては、図１５に示すように、マスコットウサギ絵柄がシルクスクリーン印刷されたマスコットウサギ絵柄シール体６２と、このマスコットウサギ絵柄シール体６２に層状に重ね合わされる着せ替え衣装絵柄がシルクスクリーン印刷された着せ替え衣装絵柄シール体６３と、マスコットウサギ絵柄シール体６２又は着せ替え衣装絵柄シール体６３に層状に重ね合わされるアクセサリー絵柄がシルクスクリーン印刷されたアクセサリー絵柄シール体６４と、看板絵柄がシルクスクリーン印刷された看板印刷シール体６５とが、１枚の透明離形フィルム材１９上に取り込まれて用意されている。更に、図１６に示すように、台紙７の世界地図用平面絵柄７１のジャンルに対応するシール体としては、世界の著名３ヶ国の国旗絵柄がシルクスクリーン印刷された特大型国旗絵柄シール体７２と、世界の著名８ヶ国の国旗絵柄がシルクスクリーン印刷された大型国旗絵柄シール体７３と、世界の著名１５ヶ国の国旗絵柄がシルクスクリーン印刷された中型国旗絵柄シール体７４と、世界の著名１８ヶ国の国旗絵柄がシルクスクリーン印刷された小型国旗絵柄シール体７５と、世界の著名２１ヶ国の国旗絵柄がシルクスクリーン印刷された極小型国旗絵柄シール体７６とが、１枚の透明離形フィルム材１９上に取り込まれて用意されている。これらのシール体４２〜４５，５２〜５４，６２〜６５，７２〜７６も、台紙２の回転寿司店舗用平面絵柄２１のジャンルに対応する絵柄がシルクスクリーン印刷されたシール体２２〜２７と同様の手順で作成される。
【００３４】
この場合、天板１１の表面に対し５種類の台紙３〜７が出し入れ可能に差し替えられるので、天板１１の表面に差し替えた台紙３〜７の平面絵柄３１〜７１に応じて、これに対応するジャンル毎の各シール体２２〜２７，４２〜４５，５２〜５４，６２〜６５，７２〜７６の貼着を行え、単一のシール貼着具Ｗ２を幼児や子供向けの各種教育用及び老年者向けの各種リハビリ用などとして幅広いジャンルに亘って有効利用することができる。
【００３５】
なお、本考案は、前記各実施の形態に限定されるものではなく、その他種々の変形例を包含している。例えば、前記第１の実施の形態では、天板１１の表面に回転寿司店舗用平面絵柄２１をオフセット印刷した台紙２を取り付けたが、これに限定されるものではなく、アニマルパーク用平面絵柄、キャラクタ動物用平面絵柄、着せ替え店舗用平面絵柄、世界地図用平面絵柄の他、あらゆる平面絵柄を印刷した台紙が取り付けられていてもよいのはいうまでもない。
【００３６】
また、前記第２の実施の形態では、天板１１に対し各台紙３〜７を差し替え可能としたが、天板に対し複数種類の台紙を全て収容可能とし、要求する台紙を最上面に入れ替えてシール体の貼着が行われるようにしてもよい。
【００３７】
また、前記第２の実施の形態では、５種類の台紙３〜７とこれらの台紙３〜７の平面絵柄に対応するジャンル毎の各シール体２２〜２７，４２〜４５，５２〜５４，６２〜６５，７２〜７６とを用意したが、これに限定されるものではなく、水族館用平面絵柄、カレンダー用平面絵柄、紙芝居用平面絵柄、四季風景用平面絵柄などを印刷した台紙と、これらの台紙の平面絵柄に対応するジャンル毎の各シール体とが用意されていてもよい。具体的には、各シール体としては、水族館用平面絵柄のジャンルに対応する各種魚介珪藻類用絵柄がそれぞれ個別に印刷されたシール体と、カレンダー用平面絵柄のジャンルに対応する数字用絵柄がそれぞれ個別に印刷されたシール体と、紙芝居用平面絵柄のジャンルに対応する登場人物絵柄がそれぞれ個別に印刷されたシール体と、四季風景用平面絵柄のジャンルに対応する四季折々の対象物絵柄がそれぞれ個別に印刷されたシール体とを用意すればよい。
【００３８】
更に、前記各実施の形態では、シール体２２〜２７，４２〜４５，５２〜５４，６２〜６５，７２〜７６の表面に絵柄をそれぞれ印刷したが、これに加えて、芳香剤の含浸、畜光剤やラインストーン等の装飾品の添加などの二次加工が施されていてもよい。
【符号の説明】
【００３９】
１          テーブル
１２        脚部
１８        枠体構成材（取付手段）
２，３      台紙
２１        回転寿司店舗用平面絵柄（平面絵柄）
２２        寿司ネタ絵柄シール体（シール体）
２３        寿司飯絵柄シール体（シール体）
２４        にぎり絵柄シール体（シール体）
２５        海苔巻絵柄シール体（シール体）
２６        受皿付絵柄シール体（シール体）
２７        備品絵柄シール体（シール体）
２８        表面層
４          台紙
４１        アニマルパーク用平面絵柄（平面絵柄）
４２        哺乳類絵柄シール体（シール体）
４３        爬虫類絵柄シール体（シール体）
４４        鳥類絵柄シール体（シール体）
４５        魚類絵柄シール体（シール体）
５          台紙
５１        キャラクタ動物用平面絵柄（平面絵柄）
５２        マスコット動物絵柄シール体（シール体）
５３        着せ替え絵柄シール体（シール体）
５４        アクセサリー絵柄シール体（シール体）
６          台紙
６１        着せ替え店舗用平面絵柄（平面絵柄）
６２        マスコットウサギ絵柄シール体（シール体）
６３        着せ替え衣装絵柄シール体（シール体）
６４        アクセサリー絵柄シール体（シール体）
６５        看板印刷シール体（シール体）
７          台紙
７１        世界地図用平面絵柄（平面絵柄）
７２        特大型国旗絵柄シール体（シール体）
７３        大型国旗絵柄シール体（シール体）
７４        中型国旗絵柄シール体（シール体）
７５        小型国旗絵柄シール体（シール体）
７６        極小型国旗絵柄シール体（シール体）
Ｗ１，Ｗ２  シール貼着具
【図２】
0003172702.tif 000003
【図３】
0003172702.tif 000004
【図７】
0003172702.tif 000005
【図１】
0003172702.tif 000006
【図４】
0003172702.tif 000007
【図５】
0003172702.tif 000008
【図６】
0003172702.tif 000009
【図８】
0003172702.tif 000010
【図９】
0003172702.tif 000011
【図１０】
0003172702.tif 000012
【図１１】
0003172702.tif 000013
【図１２】
0003172702.tif 000014
【図１３】
0003172702.tif 000015
【図１４】
0003172702.tif 000016
【図１５】
0003172702.tif 000017
【図１６】
0003172702.tif 000018